(57)【特許請求の範囲】
【請求項１】
洗浄水により洗浄される洋風便器本体と、該洋風便器本体の背後に設けられるベースプレートと、該ベースプレート上に設けられ、該洗浄水を貯留する洗浄タンクと、該ベースプレート上に設けられ、該洋風便器本体に種々の機能を付与可能な機能装置と、該洗浄タンク及び該機能装置を収納するタンクカバーと、該タンクカバーに揺動可能に設けられた便座装置とを備えた洋風水洗式便器において、
前記ベースプレートは、前記洋風便器本体に固定され、少なくとも前記洗浄タンクを載置するとともに少なくとも前方に略垂直に立設された隔壁をもつ後部ベースプレートと、該後部ベースプレートに対して昇降装置により昇降可能に設けられ、前記タンクカバー全体が固定される前部ベースプレートとからなり、該隔壁と該タンクカバーとの間には該タンクカバーの昇降を案内する案内手段が設けられていることを特徴とする洋風水洗式便器。
【請求項２】
案内手段が２個以上存在することを特徴とする請求項１記載の洋風水洗式便器。
【請求項３】
案内手段は前後又は左右に設けられていることを特徴とする請求項２記載の洋風水洗式便器。
【請求項４】
案内手段は、隔壁及びタンクカバーの一方に形成された上下方向に延びる凸条と、該隔壁及び該タンクカバーの他方に形成された上下方向に延びるガイド溝とからなることを特徴とする請求項１乃至３のいずれか１項記載の洋風水洗式便器。
【発明の詳細な説明】
【０００１】
【発明の属する技術分野】
本発明は洋風水洗式便器に関する。
【０００２】
【従来の技術】
一般的に、陶磁器製の洋風便器本体と、この洋風便器本体の背後に設けられたベースプレートと、ベースプレート上に設けられ、洗浄水を貯留する洗浄タンクと、ベースプレート上に設けられ、洋風便器本体の便鉢内を脱臭する脱臭装置等の機能装置とを備えた洋風水洗式便器が知られている。洗浄タンク及び機能装置はタンクカバーに収納されており、タンクカバーには便座及び便蓋からなる便座装置が揺動可能に設けられている。
【０００３】
この洋風水洗式便器では、使用者が用を足した後、操作スイッチを操作する等すれば、洗浄タンクから洋風便器本体へ洗浄水が供給され、洋風便器本体を洗浄することができる。また、脱臭装置等の機能装置が洋風便器本体に種々の機能を付与することができる。
【０００４】
【発明が解決しようとする課題】
しかし、上記従来の洋風水洗式便器では、ベースプレートが洋風便器本体に固定され、このベースプレート上に洗浄タンク、タンクカバー等が設けられている。このため、洋風便器本体の後部上面が僅かな隙間を残してそれらの部材で常に覆われ、その隙間を通じて尿等の汚れがその後部上面に付着した場合でも、その汚れを除去することが困難となっていた。このため、その汚れが原因となって異臭が発生するとともに不衛生ともなっていた。
【０００５】
この点、特開２０００−３３０５１号公報、特開２０００−１０４３０７号公報又は特開２００１−２３１７１５号公報に開示された洋風水洗式便器はその不具合を解消することができる。すなわち、これらの洋風水洗式便器では、ベースプレートは、洋風便器本体に固定され、少なくとも洗浄タンクを載置する後部ベースプレートと、この後部ベースプレートに対して昇降装置により昇降可能な前部ベースプレートとから構成されている。また、タンクカバーは、後部ベースプレートに固定される後部カバーと、前部ベースプレートに固定される前部カバーとから構成されている。これらの洋風水洗式便器では、前部ベースプレートを昇降装置によって上昇させれば、前部ベースプレートとともに前部カバーが上昇するため、洋風便器本体の後部上面を剥き出しにすることができる。このため、洋風便器本体の後部上面に付着している尿等の汚れを容易に除去することが可能となり、この汚れに起因する異臭の発生を防止することができるとともに衛生的ともなる。
【０００６】
しかしながら、上記各公報記載の洋風水洗式便器では、タンクカバーが後部カバーと前部カバーとから構成され、前部カバーのみが前部ベースプレートに固定されている。このため、前部ベースプレートを上昇させた場合、前部カバーのみが上昇する。この状態では、前部カバーが後部カバーと支え合うことはなく、前部カバーが不安定な状態で起立することとなる。特に、この種の洋風水洗式便器では、容易に昇降を行なうべく、肉厚が薄いことにより軽量化された前部カバーを採用しやすいことから、その場合にはその前部カバーは容易に撓んでしまう。このため、前部ベースプレートが上昇した状態で外部から前部カバーに過度の力が加わった場合、前部ベースプレートが前部カバーを固定する部分や前部カバー自身に変形を生じるおそれがあり、耐久性が危惧される。
【０００７】
この点、洋風便器本体に固定される後部ベースプレートと、この後部ベースプレートに対して昇降装置により昇降可能に設けられ、タンクカバー全体が固定される前部ベースプレートとからなるベースプレートを採用することも考えられる。こうであれば、前部ベースプレートによってタンクカバー全体が昇降されるため、前部カバーだけが昇降することによる低い耐久性を解決できる。
【０００８】
しかし、こうしてタンクカバー全体を昇降させるとしても、上昇する途中及び上昇した状態でタンクカバーが傾斜しやすい。特に、タンクカバーは比較的高さの高い洗浄タンクを収納しているため、その重心が上方にあり、傾斜しやすい。また、タンクカバーには比較的重量のある便座装置が設けられているため、便座装置による荷重がタンクカバーを前方に傾斜させやすい。こうしてタンクカバーが傾斜した状態で昇降されれば、タンクカバー自体に無理な力が作用してタンクカバーを損傷するおそれがあるとともに、昇降装置にも無理な力が作用して昇降装置の損傷につながり、ひいては耐久性が依然として危惧される。
【０００９】
本発明は上記従来の実情に鑑みなされたものであり、異臭が発生し難いとともに衛生的であり、かつより耐久性に優れた洋風水洗式便器を提供することを解決すべき課題としている。
【００１０】
【課題を解決するための手段】
本発明の洋風水洗式便器は、洗浄水により洗浄される洋風便器本体と、該洋風便器本体の背後に設けられるベースプレートと、該ベースプレート上に設けられ、該洗浄水を貯留する洗浄タンクと、該ベースプレート上に設けられ、該洋風便器本体に種々の機能を付与可能な機能装置と、該洗浄タンク及び該機能装置を収納するタンクカバーと、該タンクカバーに揺動可能に設けられた便座装置とを備えた洋風水洗式便器において、
前記ベースプレートは、前記洋風便器本体に固定され、少なくとも前記洗浄タンクを載置するとともに少なくとも前方に略垂直に立設された隔壁をもつ後部ベースプレートと、該後部ベースプレートに対して昇降装置により昇降可能に設けられ、前記タンクカバー全体が固定される前部ベースプレートとからなり、該隔壁と該タンクカバーとの間には該タンクカバーの昇降を案内する案内手段が設けられていることを特徴とする。
【００１１】
本発明の洋風水洗式便器では、洋風便器本体に固定された後部ベースプレートに対して昇降装置により昇降可能な前部ベースプレートにタンクカバー全体が固定されている。このため、前部ベースプレートを昇降装置によって上昇させれば、タンクカバー全体が上昇することとなり、これにより洋風便器本体の後部上面を剥き出しにすることができる。こうして、洋風便器本体の後部上面に付着している尿等の汚れを容易に除去することが可能となり、この汚れに起因する異臭の発生を防止することができるとともに衛生的ともなる。
【００１２】
また、タンクカバー全体が前部ベースプレートに固定されているため、前部ベースプレートを昇降装置により上昇させれば、タンクカバー全体が上昇する。このため、前部ベースプレートを上昇させた状態において、タンクカバーは、強度の大きな筒形状を保って起立することとなり、例えタンクカバーの肉厚が薄くされていても、容易に撓むことはない。このため、前部ベースプレートが上昇した状態で外部からタンクカバーに過度の力が加わった場合であっても、前部ベースプレートがタンクカバーを固定する部分やタンクカバー自身が変形し難く、優れた耐久性を発揮する。
【００１３】
さらに、後部ベースプレートは少なくとも前方に略垂直に立設された隔壁をもっており、隔壁とタンクカバーとの間に案内手段が設けられている。このため、タンクカバーを昇降装置により昇降させた場合、タンクカバーは案内手段によって案内されることとなり、上昇する途中及び上昇した状態でタンクカバーが傾斜し難くなる。このため、タンクカバーの昇降時に、タンクカバー自体や昇降装置に無理な力が作用し難くなり、タンクカバーや昇降装置の損傷を防止でき、ひいては優れた耐久性を有することとなる。
【００１４】
したがって、本発明の洋風水洗式便器は、異臭が発生し難いとともに衛生的であり、かつより耐久性に優れている。
【００１５】
案内手段は２個以上存在することが好ましい。こうであれば、前部ベースプレートを昇降装置により昇降させることによってタンクカバー全体を昇降させた場合、タンクカバーは２個以上の案内手段によって案内されることとなる。このため、タンクカバーの案内がより確実になされることとなり、上昇する途中及び上昇した状態でタンクカバーがさらに傾斜し難くなる。また、案内手段に加わる力が２個以上の案内手段に分散されるため、案内手段１個あたりに加わる力が小さくなる。このため、案内手段が破損し難くなり、耐久性に優れたものとなる。
【００１６】
この場合、案内手段は前後又は左右に設けられていることが好ましい。こうであれば、案内手段によるタンクカバーの案内が前後又は左右からバランスよく行われることとなり、案内手段によるタンクカバーの案内をさらに確実なものとすることができる。このため、極めて耐久性に優れたものとなる
【００１７】
案内手段は、隔壁及びタンクカバーの一方に形成された上下方向に延びる凸条と、隔壁及びタンクカバーの他方に形成された上下方向に延びるガイド溝とからなることが可能である。こうであれば、隔壁及びタンクカバーの一方に形成された凸条が隔壁及びタンクカバーの他方に形成されたガイド溝に沿って摺動可能となり、タンクカバー全体が円滑に案内されることとなる。
【００１８】
【発明の実施の形態】
以下、本発明を具体化した実施形態を図面を参照しつつ説明する。
【００１９】
実施形態の洋風水洗式便器は、図１に示すように、陶磁器製の洋風便器本体１の背後にタンクカバー２が設けられている。タンクカバー２は、前方に位置する前部カバー２ａと、後方に位置する後部カバー２ｂとから構成されている。前部カバー２ａの下端の手前側には便座４ａ及び便蓋４ｂからなる便座装置４が揺動可能に取り付けられている。
【００２０】
タンクカバー２内には、図２に示すように、後部ベースプレート１０と前部ベースプレート１１と昇降装置１２とが備えられている。後部ベースプレート１０は洋風便器本体１（図１参照）の後部に固定されている。後部ベースプレート１０の後端を含む周囲には隔壁１０ａが略垂直に立設されている。隔壁１０ａの内側に洗浄タンク５（図１参照）が載置されている。
【００２１】
隔壁１０ａの左右側の外面には、図４に示すように、水平断面形状がコの字型で上下方向に延在するガイド溝１０ｄが形成されている。また、後部カバー２ｂの両側壁の下端には、上下方向に延在しつつ内側に突出する凸条２ｄが形成されている。各凸条２ｄは各ガイド溝１０ｄと係合しており、昇降装置１２を昇降させることにより、各凸条２ｄは各ガイド溝１０ｄに沿って上下方向に摺動可能とされている。各ガイド溝１０ｄと各凸条２ｄとが案内手段である。
【００２２】
図２に示すように、昇降装置１２は後部ベースプレート１０と前部ベースプレート１１との間に設けられており、前部ベースプレート１１はこの昇降装置１２により、後部ベースプレート１０に対して昇降可能とされている。前部ベースプレート１１には前部カバー２ａが固定されており、前部カバー２ａには後部カバー２ｂが固定されている。また、前部ベースプレート１１には、便座４ａ及び便蓋４ｂの図示しない自動開閉装置、局部洗浄装置のうち温水タンクを除く洗浄ノズル６等、洋風水洗式便器の使用者を検知する人体検知センサ等、水を貯留しない機能装置が固定されている。
【００２３】
図１に示すように、前部カバー２ａの側壁には、洗浄レバー２ｃが揺動可能に設けられており、この洗浄レバー２ｃにより、洗浄タンク５内の洗浄水を洋風便器本体１に供給可能とされている。タンクカバー２の上端には手洗鉢７がタンクカバー２と面一となるように載置されている。
【００２４】
以上のように構成された洋風水洗式便器では、通常の使用状態においては、図１に示すように、洋風便器本体１の後部上面が僅かな隙間を残してタンクカバー２に覆われている。この状態において、図２に示す昇降装置１２により、前部ベースプレート１１を上昇させれば、図３に示すように、前部ベースプレート１１に固定された前部カバー２ａが後部カバー２ｂとともに上昇する。これにより、自動開閉装置、洗浄ノズル６等、人体検知センサ等も上昇する。こうして、洋風便器本体１の後部上面に付着している尿等の汚れを容易に除去することが可能となり、この汚れに起因する異臭の発生を防止することができるとともに衛生的ともなる。
【００２５】
また、こうして前部カバー２ａを後部カバー２ｂとともに上昇させる際、図４に示すように、後部カバー２ｂの各凸条２ｄは、後部ベースプレート１０の隔壁１０ａに形成された各ガイド溝１０ｄに沿って円滑に摺動し、後部カバー２ｂの昇降が円滑に案内される。このため、タンクカバー２が上昇する途中及び上昇した状態でタンクカバー２が傾斜し難くなり、タンクカバー２の昇降時に、タンクカバー２自体や昇降装置１２に無理な力が作用し難くなる。このため、タンクカバー２や昇降装置１２の損傷を防止でき、ひいては優れた耐久性を有する。
【００２６】
特にこの洋風水洗式便器では、各凸条２ｄ及び各ガイド溝１０ｄが左右に平行して形成されているため、タンクカバー２はこれら凸条２ｄ及びガイド溝１０ｄにより左右からバランスよく、より確実に案内される。また、各凸条２ｄ及び各ガイド溝１０ｄはそれぞれ２個づつ形成されているため、それらに加わる力が分散され、凸条２ｄ及びガイド溝１０ｄの１組あたりに加わる力が小さくなることから、凸条２ｄ及びガイド溝１０ｄが破損し難くなり、耐久性に優れたものとなる。
【００２７】
また、この洋風水洗式便器では、タンクカバー２を上昇させた状態では、タンクカバー２は強度の大きな筒形状を保って起立することとなり、タンクカバー２は容易に撓むことはない。このため、前部ベースプレート１１が上昇した状態で外部からタンクカバー２に過度の力が加わった場合であっても、前部ベースプレート１１がタンクカバー２を固定する部分やタンクカバー２自身が変形し難くなり、優れた耐久性を発揮する。
【００２８】
したがって、この洋風水洗式便器は異臭が発生し難いとともに衛生的であり、かつより耐久性に優れている。
【図面の簡単な説明】
【図１】実施形態の洋風水洗式便器の全体斜視図である。
【図２】実施形態の洋風水洗式便器に係る昇降装置等の分解斜視図である。
【図３】実施形態の洋風水洗式便器に係り、タンクカバーが上昇した状態の全体斜視図である。
【図４】実施形態の洋風水洗式便器の要部斜視図である。
【符号の説明】
１…洋風便器本体
１０、１１…ベースプレート（１０…後部ベースプレート、１１…前部ベースプレート）
５…洗浄タンク
６…機能装置（洗浄ノズル）
２…タンクカバー
２ａ…前部カバー
２ｂ…後部カバー
４…便座装置（４ａ…便座、４ｂ…便蓋）
１０ａ…隔壁
１２…昇降装置
２ｄ、１０ｄ…案内手段（２ｄ…凸条、１０ｄ…ガイド溝）
【図１】
0003859060.tif 000002
【図２】
0003859060.tif 000003
【図３】
0003859060.tif 000004
【図４】
0003859060.tif 000005